(57)【要約】【課題】  昇圧不足を精度良く判定することができるオシロメトリック方式の自動血圧測定装置を提供する。【解決手段】  カフ圧ＰＣの徐速降圧過程で逐次得られるカフ脈波の振幅Ａの変化率ｄが所定の変化率基準値ＴＨｄを超えたか否かを判断することにより、最高血圧値ＢＰＳＹＳを示す振幅Ａの立ち上がり点が発生したか否かを判断し（Ｓ８）、徐速降圧開始から所定の判断基準拍数ＴＨＮを経過するまでに最高血圧値ＢＰＳＹＳが決定されないと判断した場合には（Ｓ９）、さらに、徐速降圧開始後の最初の振幅Ａ１が所定の判断基準振幅ＴＨＡよりも大きいか否かを判断し（Ｓ１０）、この判断も肯定された場合には、昇圧不足と判断して、昇圧目標圧力値ＰＣＭを所定値ΔＰだけ大きい値に設定して（Ｓ１１）、直ちに再昇圧を実行する。【選択図】                        図５
2006247215.tif 000002
【特許請求の範囲】
【請求項１】
生体の所定部位に巻回されるカフを備え、該カフの圧迫圧力を予め設定された昇圧目標圧力値まで昇圧し、次いで該カフの圧迫圧力を徐速降圧する過程で、該カフに発生するカフ脈波の振幅の変化に基づいて、前記生体の血圧値を決定する形式の自動血圧測定装置であって、
前記カフの圧迫圧力の徐速降圧開始後、前記カフ脈波の振幅を逐次決定する振幅決定手段と、
該振幅決定手段により逐次決定される振幅の立ち上がり点に基づいて、最高血圧値を決定する血圧値決定手段と、
前記カフの圧迫圧力の徐速降圧開始後、予め設定された判断基準拍数以内に、前記血圧値決定手段により最高血圧値が決定されないことに基づいて、昇圧不足であると判定する昇圧不足判定手段と、
該昇圧判定手段により昇圧不足であると判定された場合には、前記カフの圧迫圧力の徐速降圧を中止して、該カフの圧迫圧力を前記昇圧目標圧力値よりも高い値に設定された再昇圧目標圧力値まで昇圧する再昇圧制御手段と
を含むことを特徴とする自動血圧測定装置。
【請求項２】
前記昇圧不足判定手段は、前記カフの圧迫圧力の徐速降圧開始後、予め設定された判断基準拍数以内に、前記血圧値決定手段により最高血圧値が決定されず、且つ、徐速降圧当初に前記振幅決定手段により決定される振幅が、予め設定された判断基準振幅よりも大きいことに基づいて、昇圧不足であると判定するものであることを特徴とする請求項１に記載の自動血圧測定装置。
【発明の詳細な説明】
【技術分野】
【０００１】
本発明は、血圧値を自動的に測定する自動血圧測定装置の改良に関するものである。
【背景技術】
【０００２】
生体の血圧値を自動的に測定する血圧測定装置として、所謂オシロメトリック方式により自動的に血圧を測定する自動血圧測定装置が知られている。オシロメトリック方式の自動血圧測定装置は、生体の所定部位にカフを巻回し、そのカフの圧迫圧力を予め設定された昇圧目標圧力値まで昇圧し、次いで、カフの圧迫圧力を３〜５ｍｍＨｇ／ｓｅｃ程度の速度で徐速降圧させる。そして、その徐速降圧過程でカフに発生するカフ脈波を逐次採取し、そのカフ脈波の振幅の変化に基づいて、予め記憶されているオシロメトリックアルゴリズムを用いて血圧値を決定している。上記オシロメトリックアルゴリズムでは、たとえば、最高血圧値は、カフ脈波の振幅が急激に大きくなるときのカフ圧、すなわち、カフ脈波の振幅の立ち上がり点におけるカフ圧に決定される。
【０００３】
上記昇圧目標圧力値は、最高血圧値よりも高い圧力となるように設定される必要がある一方で、昇圧目標圧力値が高すぎると被測定者に与える苦痛が大きくなるため、昇圧目標圧力値には、それらの事情を考慮した一定値（たとえば１８０ｍｍＨｇ）が用いられることが多い。しかし、昇圧目標圧力値を一定値とすると、昇圧目標圧力値よりも高い最高血圧値を有する高血圧患者の場合には、カフの再昇圧が必要となる。
【０００４】
昇圧不足である場合に、速やかに再昇圧することができるオシロメトリック方式の自動血圧測定装置として、たとえば、特許文献１に記載されているものが提案されている。特許文献１に記載されている自動血圧測定装置は、カフ圧の減少開始時において当初に検出される脈波の大きさが、予め設定された判断基準値よりも大きいか否かを判定し、当初の脈波がその判断基準値よりも大きいと判定されたときは、カフ圧を速やかに再昇圧させている。昇圧不足である場合には、カフ圧の減少開始当初から脈波が比較的大きいので、脈波の大きさと判断基準値との比較から、昇圧不足を判定しているのである。
【特許文献１】特開昭６１−１３０２０２号公報
【発明の開示】
【発明が解決しようとする課題】
【０００５】
特許文献１に記載の自動血圧測定装置のように、脈波の大きさと判断基準値との比較から昇圧不足を判定する場合、誤判定を防止しつつ昇圧不足を確実に判定できるように判断基準値の大きさを設定することが比較的困難であるという問題がある。すなわち、判断基準値を低く設定するほど昇圧不足を確実に判定できるようになるが、反面、昇圧不足でなく、そのまま徐速降圧を継続しても最高血圧値が決定できる場合にまで昇圧不足と判定されてしまう場合が多くなる。そこで、昇圧不足でない場合を誤って昇圧不足と判定することがないように、判断基準値はある程度高く設定される。しかし、判断基準値が高く設定されるほど、昇圧不足が見逃されてしまう場合が多くなるのである。
【０００６】
本発明は以上の事情を背景として為されたもので、その目的とするところは、昇圧不足を精度良く判定することができるオシロメトリック方式の自動血圧測定装置を提供することにある。
【課題を解決するための手段】
【０００７】
前記目的を達成するための本発明は、生体の所定部位に巻回されるカフを備え、そのカフの圧迫圧力を予め設定された昇圧目標圧力値まで昇圧し、次いでそのカフの圧迫圧力を徐速降圧する過程で、そのカフに発生するカフ脈波の振幅の変化に基づいて、前記生体の血圧値を決定する形式の自動血圧測定装置であって、前記カフの圧迫圧力の徐速降圧開始後、前記カフ脈波の振幅を逐次決定する振幅決定手段と、その振幅決定手段により逐次決定される振幅の立ち上がり点に基づいて、最高血圧値を決定する血圧値決定手段と、前記カフの圧迫圧力の徐速降圧開始後、予め設定された判断基準拍数以内に、前記血圧値決定手段により最高血圧値が決定されないことに基づいて、昇圧不足であると判定する昇圧不足判定手段と、その昇圧判定手段により昇圧不足であると判定された場合には、前記カフの圧迫圧力の徐速降圧を中止して、そのカフの圧迫圧力を前記昇圧目標圧力値よりも高い値に設定された再昇圧目標圧力値まで昇圧する再昇圧制御手段とを含むことを特徴とする。
【発明の効果】
【０００８】
この発明によれば、昇圧不足判定手段により、前記カフの圧迫圧力の徐速降圧開始後、予め設定された判断基準拍数以内に血圧値決定手段により実際に最高血圧値が決定されないことに基づいて昇圧不足であると判定されるので、昇圧不足を確実に判断することができる。
【０００９】
ここで、前記昇圧不足判定手段において、判断基準拍数を小さくすると迅速に昇圧不足を判定することができるが、被測定者の最高血圧値が低すぎると、昇圧不足でないのに昇圧不足と判定されることがある。そこで、好ましくは、前記前記昇圧不足判定手段は、前記カフの圧迫圧力の徐速降圧開始後、予め設定された判断基準拍数以内に、前記血圧値決定手段により最高血圧値が決定されず、且つ、徐速降圧当初に前記振幅決定手段により決定される振幅が、予め設定された判断基準振幅よりも大きいことに基づいて、昇圧不足であると判定する。被測定者の最高血圧値が低い場合には、徐速降圧当初の振幅が小さいので、このようにすれば、昇圧不足でないのに昇圧不足と判定される誤判定が防止される。
【発明を実施するための最良の形態】
【００１０】
以下、本発明の実施の形態を図面に基づいて詳細に説明する。図１は、本発明が適用された自動血圧測定装置１０の回路構成を示すブロック図である。
【００１１】
図１において、カフ１２はゴム製袋を布製帯状袋内に有し、上腕部１４に巻回される。カフ１２には、圧力センサ１６、調圧弁１８が配管２０を介してそれぞれ接続されている。また、調圧弁１８には、配管２２を介して空気ポンプ２４が接続されている。調圧弁１８は、空気ポンプ２４により発生させられた圧力の高い空気を調圧してカフ１２内へ供給し、あるいは、カフ１２内の空気を排気することにより、カフ１２内の圧力を調圧する。
【００１２】
圧力センサ１６は、カフ１２内の圧力を検出してその圧力を表す圧力信号ＳＰを静圧弁別回路２６および脈波弁別回路２８にそれぞれ供給する。静圧弁別回路２６はローパスフィルタを備えており、圧力信号ＳＰに含まれる定常的な圧力すなわちカフ１２の圧迫圧力（以下、この圧力をカフ圧ＰＣという）を表すカフ圧信号ＳＣを弁別してそのカフ圧信号ＳＣをＡ／Ｄ変換器３０を介して電子制御装置３２へ供給する。脈波弁別回路２８はたとえば１乃至３０Ｈｚ程度の信号通過帯域を有するバンドパスフィルタを備えており、圧力信号ＳＰの振動成分であるカフ脈波信号ＳＭを弁別してそのカフ脈波信号ＳＭをＡ／Ｄ変換器３４を介して電子制御装置３２へ供給する。上記カフ脈波信号ＳＭは、図示しない上腕動脈からカフ１２に伝達されてカフに発生する脈波であることからカフ脈波を表す。
【００１３】
電子制御装置３２は、ＣＰＵ３６、ＲＯＭ３８、ＲＡＭ４０、および図示しないＩ／Ｏポート等を備えた所謂マイクロコンピュータにて構成されており、ＣＰＵ３６は、ＲＯＭ３８に予め記憶されたプログラムに従ってＲＡＭ４０の憶機能を利用しつつ信号処理を実行することにより、Ｉ／Ｏポートから駆動信号を出力して空気ポンプ２４および調圧弁１８を制御する。ＣＰＵ３６は、その空気ポンプ２４および調圧弁１８を制御することによりカフ圧ＰＣを制御する。また、ＣＰＵ３６は、図２に詳しく示す機能を実行することにより、カフ圧ＰＣを被測定者の最高血圧値ＢＰＳＹＳよりも高い圧力まで昇圧した後、そのカフ圧ＰＣを徐速降圧させつつ、逐次得られるカフ脈波に基づいて血圧値ＢＰを決定し、決定した血圧値ＢＰを表示器４２に表示する。
【００１４】
図２は、ＣＰＵ３６の制御機能の要部を示す機能ブロック図である。カフ圧制御手段５０は、調圧弁１８および空気ポンプ２４を制御することにより、カフ圧ＰＣを上腕部１４における最高血圧値ＢＰＳＹＳよりも高い値に予め設定された昇圧目標圧力値ＰＣＭ（たとえば１８０ｍｍＨｇ）まで急速に昇圧し、続いて、後述する血圧値決定手段５４による血圧値ＢＰの決定が終了するまで、カフ圧ＰＣを２〜３ｍｍＨｇ／ｓｅｃに設定された徐速降圧速度で徐速降圧させる。また、カフ圧制御手段５０は、再昇圧制御手段としても機能し、後述する昇圧不足判定手段５６によりカフ圧ＰＣの昇圧不足が判定された場合には、カフ圧ＰＣの徐速降圧を中止して、上記昇圧目標圧力値ＰＣＭに予め設定された加算値ΔＰを加えた値を新たな昇圧目標圧力値ＰＣＭすなわち再昇圧目標圧力値とし、その再昇圧目標圧力値まで速やかに再昇圧した後に、上記徐速降圧を再度実行する。上記加算値ΔＰは、予め設定されている当初の昇圧目標圧力値ＰＣＭの１０分の１〜数分の１程度の範囲、たとえば５０ｍｍＨｇに設定されている。また、カフ圧制御手段５０は、血圧値ＢＰの決定が終了した後にカフ圧ＰＣを大気圧まで排圧する。
【００１５】
振幅決定手段５２は、カフ圧制御手段５０によりカフ圧ＰＣが徐速降圧させられる過程で、脈波弁別回路２８により逐次弁別されるカフ脈波信号ＳＭが表すカフ脈波の振幅Ａを一拍毎に決定し、その振幅Ａをその振幅Ａが決定された時に静圧弁別回路２６により弁別されたカフ圧ＰＣとともにＲＡＭ６６の所定の記憶領域に記憶する。
【００１６】
血圧値決定手段５４は、カフ圧制御手段５０によりカフ圧ＰＣが徐速降圧させられる過程において、振幅決定手段５２により逐次決定されるカフ脈波の振幅Ａの変化および順次採取されるカフ圧信号ＳＣに基づき、良く知られたオシロメトリックアルゴリズムを用いて最高血圧値ＢＰＳＹＳ、最低血圧値ＢＰＤＩＡ、および平均血圧値ＢＰＭＥＡＮを決定し、その決定した最高血圧値ＢＰＳＹＳ等を表示器４２に表示する。上記オシロメトリックアルゴリズムでは、逐次得られるカフ脈波の振幅Ａが急激に大きくなるときのカフ圧ＰＣ、すなわち、振幅Ａの立ち上がり点におけるカフ圧ＰＣを最高血圧値ＢＰＳＹＳに決定する。この振幅Ａの立ち上がり点は、たとえば、逐次得られる振幅Ａに基づいて、振幅Ａの変化率ｄを逐次算出し、その変化率ｄが所定の変化率基準値ＴＨｄを超えたことに基づいて決定する。また、平均血圧値ＢＰＭＥＡＮは、たとえば、逐次得られる振幅Ａから、図３に示すような振幅列を作成し、各振幅Ａの頂点を結んで得られる包絡線のピーク点におけるカフ圧ＰＣとし、最低血圧値ＢＰＤＩＡは、その包絡線を微分した微分曲線の変曲点（包絡線の立ち下がり点）におけるカフ圧ＰＣとする。
【００１７】
昇圧不足判定手段５６は、カフ圧制御手段５０によるカフ圧ＰＣの徐速降圧開始後、予め設定された判断基準拍数ＴＨＮ内に、上記血圧値決定手段５４により最高血圧値ＢＰＳＹＳが決定されず、且つ、カフ圧ＰＣの徐速降圧開始当初に振幅決定手段５２により決定される振幅Ａの大きさが、予め設定された判断基準振幅ＴＨＡよりも大きい場合に、昇圧不足であると判定する。上記判断基準拍数ＴＨＮは、予め実験に基づいて決定され、たとえば、３〜１０拍（より具体的には５拍など）とされる。また、徐速降圧開始当初の振幅Ａとは、徐速降圧開始後から上記判断基準拍数ＴＨＮが経過するまでのいずれかの時点の振幅Ａ、または、徐速降圧開始後から上記判断基準拍数ＴＨＮが経過するまでの任意の期間の平均の振幅Ａであるが、以下の説明では、徐速降圧開始後の最初の振幅Ａとされているものとする。また、上記判断基準振幅ＴＨＡは、カフ１２下の動脈が完全に駆血されている時にカフ１２の上流側で生じている脈動がカフ１２の上流端に伝達されることにより生じる微弱なカフ脈波の振幅Ａよりも大きく、且つ、被測定者が高血圧患者の場合に、カフ圧ＰＣが当初の昇圧目標圧力値ＰＣＭとされている状態で検出される比較的大きなカフ脈波の振幅Ａよりも低くなるように、実験に基づいて設定される。
【００１８】
図４は、徐速降圧開始当初のカフ脈波の振幅Ａから得られる包絡線と、判断基準振幅ＴＨＡと、判断基準拍数ＴＨＮとの関係を模式的に示す図である。図４（ａ）は、被測定者が高血圧患者であり、昇圧が不足している場合の例である。図４（ａ）に示すように、判断基準拍数ＴＨＮまでに最高血圧値ＢＰＳＹＳが決定されず、且つ、徐速降圧開始当初の振幅Ａが判断基準振幅ＴＨＡよりも大きいので、昇圧不足であることが正しく判定される。図４（ｂ）は、被測定者の血圧ＢＰがやや高いが、昇圧は不足していない場合の例である。図４（ｂ）に示すように、判断基準拍数ＴＨＮまでに最高血圧値ＢＰＳＹＳが決定されているので、昇圧不足と判定されない。なお、図４（ｂ）は、徐速降圧開始当初の振幅Ａが判断基準振幅ＴＨＡよりも大きいので、前述の特許文献１記載の装置では、誤って昇圧不足と判定されてしまうケースである。図４（ｃ）は、被測定者が低血圧患者である場合の例である。図４（ｃ）に示すように、判断基準拍数ＴＨＮまでに最高血圧値ＢＰＳＹＳが決定されていないので、これのみに基づく判断では昇圧不足と判定されてしまうが、徐速降圧開始当初の振幅Ａが判断基準振幅ＴＨＡよりも小さいので、昇圧不足と判定されない。
【００１９】
図５は、図２の機能ブロック図に示したＣＰＵ３６の制御作動の要部を示すフローチャートである。
【００２０】
まず、ステップＳ１（以下、ステップを省略する。）では、空気ポンプ２４を起動させ、調圧弁１８を制御することにより、カフ圧ＰＣの急速昇圧を開始する。そして、続くＳ２では、カフ圧ＰＣが１８０ｍｍＨｇに設定された昇圧目標圧力値ＰＣＭを超えたか否かを判断する。このＳ２の判断が否定されるうちは、Ｓ２の判断を繰り返し実行し、カフ圧ＰＣの急速昇圧を継続する。一方、Ｓ２の判断が肯定された場合には、Ｓ３において、空気ポンプ２４を停止させ、且つ、調圧弁１８を制御することにより、カフ圧ＰＣの３ｍｍＨｇ／ｓｅｃ程度での徐速降圧を開始する。
【００２１】
続くＳ４では、脈波弁別回路２８から供給されるカフ脈波信号ＳＭおよび静圧弁別回路２６から供給されるカフ圧信号ＳＣを一拍分読み込む。続くＳ５では拍数Ｎに「１」を加える。
【００２２】
続くＳ６は振幅決定手段５２に相当し、上記Ｓ４で読み込んだ一拍分のカフ脈波信号ＳＭに基づいて、そのカフ脈波信号ＳＭが表すカフ脈波の振幅Ａを決定する。そして、続くＳ７では、上記Ｓ６で決定した振幅Ａ（ＡＮとする）と、その前の脈拍においてＳ６で決定した振幅Ａ（ＡＮ−１とする）とに基づいて、式１から振幅Ａの変化率ｄを算出する。
（式１）  ｄ＝（ＡＮ−ＡＮ−１）／ＡＮ−１
【００２３】
続くＳ８では、上記Ｓ７で算出した変化率ｄが、予め設定されている変化率基準値ＴＨｄより大きいか否かを判断することにより、振幅Ａの立ち上がり点が発生したか否かを判断する。このＳ８の判断が否定された場合には、続くＳ９において、拍数Ｎが予め設定された判断基準拍数ＴＨＮより大きいか否かをさらに判断する。徐速降圧開始初期であり、この判断が否定される場合には前記Ｓ４以下を再度実行する。一方、Ｓ９の判断が肯定される場合には、昇圧目標圧力値ＰＣＭが最高血圧値ＢＰＳＹＳよりも小さいか、昇圧目標圧力値ＰＣＭが最高血圧値ＢＰＳＹＳよりも著しく大きい場合であるので、そのいずれであるかを判断するために、続くＳ１０において、徐速降圧開始後、最初のカフ脈波の振幅Ａ１が予め設定されている判断基準振幅ＴＨＡより大きいか否かをさらに判断する。
【００２４】
上記Ｓ１０の判断が否定された場合には、昇圧目標圧力値ＰＣＭが最高血圧値ＢＰＳＹＳよりも著しく大きく、まだ、振幅Ａの立ち上がり点が発生していない場合であるので、前記Ｓ４以下を繰り返し実行する。一方、Ｓ１０の判断が肯定された場合には、昇圧目標圧力値ＰＣＭが最高血圧値ＢＰＳＹＳよりも小さいと考えられるので、続くＳ１１において、昇圧目標圧力値ＰＣＭに所定の加算値ΔＰを加算した値を新たな昇圧目標圧力値ＰＣＭすなわち再昇圧目標圧力値とした後、Ｓ１以下を再度実行する。これにより、前記Ｓ３で開始させられていたカフ圧ＰＣの徐速降圧が中止され、上記再昇圧目標圧力値までカフ圧ＰＣが急速昇圧される。
【００２５】
前記Ｓ８の判断が肯定された場合、すなわち、振幅Ａの立ち上がり点が発生した場合には、Ｓ１２において、そのときのカフ圧ＰＣを最高血圧値ＢＰＳＹＳに決定し、続くＳ１３において、前述のオシロメトリックアルゴリズムを実行することにより、平均血圧値ＢＰＭＥＡＮおよび最低血圧値ＢＰＤＩＡを決定する。
【００２６】
そして、続くＳ１４では、Ｓ１２またはＳ１３で決定した最高血圧値ＢＰＳＹＳ、平均血圧値ＢＰＭＥＡＮ、最低血圧値ＢＰＤＩＡを表示器４２に表示し、続くＳ１５では、調圧弁１８を制御することによりカフ圧ＰＣを大気圧まで排圧する。なお、図５では、Ｓ１乃至Ｓ３、Ｓ１１、Ｓ１５がカフ圧制御手段５０に相当し、そのうち、Ｓ１乃至Ｓ２、Ｓ１１は再昇圧制御手段にも相当する。また、Ｓ７乃至Ｓ８、Ｓ１２乃至Ｓ１４が血圧値決定手段５４に相当し、Ｓ８乃至Ｓ１０が昇圧不足判定手段５６に相当する。
【００２７】
上述のように、本実施例によれば、昇圧不足判定手段５６（Ｓ８乃至Ｓ１０）により、カフ圧ＰＣの徐速降圧開始後、予め設定された判断基準拍数ＴＨＮ以内に血圧値決定手段５４（Ｓ７乃至Ｓ８、Ｓ１２乃至Ｓ１４）により実際に最高血圧値ＢＰＳＹＳが決定されないことに基づいて昇圧不足であると判定されるので、昇圧不足を確実に判断することができる。
【００２８】
また、本実施例によれば、昇圧不足判定手段５６では、予め設定された判断基準拍数ＴＨＮ以内に血圧値決定手段５４（Ｓ７乃至Ｓ８、Ｓ１２乃至Ｓ１４）により実際に最高血圧値ＢＰＳＹＳが決定されないことに加えて、徐速降圧開始当初に振幅決定手段５２（Ｓ６）により決定される振幅Ａが判断基準振幅ＴＨＡよりも大きい場合に昇圧不足と判定されるので、昇圧不足でないのに昇圧不足と判定される誤判定が防止される。
【００２９】
以上、本発明の一実施形態を図面に基づいて詳細に説明したが、本発明はその他の態様においても適用される。
【００３０】
たとえば、前述の実施例では、再昇圧が重ねられる毎に、昇圧目標圧力値ＰＣＭに加算値ΔＰすなわち一定値が加えられた値が新たな昇圧目標圧力値（すなわち再昇圧目標圧力値）とされていたが、再昇圧目標圧力値とその前の昇圧目標圧力値との差は一定である必要はなく、たとえば、前回の昇圧目標圧力値との差が漸次小さくなるように再昇圧目標圧力値が設定されていてもよい。
【００３１】
また、前述の実施例では、昇圧不足判定手段５６は、予め設定された判断基準拍数ＴＨＮ以内に血圧値決定手段５４により実際に最高血圧値ＢＰＳＹＳが決定されないことに加えて、徐速降圧開始当初に振幅決定手段５２により決定される振幅Ａが判断基準振幅ＴＨＡよりも大きい場合に昇圧不足と判定していたが、前者の条件のみ、すなわち、予め設定された判断基準拍数ＴＨＮ以内に血圧値決定手段５４により実際に最高血圧値ＢＰＳＹＳが決定されないことのみから、昇圧不足を判定してもよい。この場合にも、前述の特許文献１記載の装置では、判断基準振幅ＴＨＡが高すぎるために、本来昇圧不足であるのに昇圧不足ではないと判定されてしまうケースや、判断基準振幅ＴＨＡが低すぎるために、昇圧不足ではないのに昇圧不足であると判定されてしまうケースであっても、昇圧不足かどうかを正しく判定することができる。
【００３２】
また、前述の実施例では、カフ１２は上腕部１４に巻回されていたが、大腿部、足首など他の部位に巻回されてもよい。
【００３３】
なお、本発明はその主旨を逸脱しない範囲においてその他種々の変更が加えられ得るものである。
【図面の簡単な説明】
【００３４】
【図１】本発明が適用された自動血圧測定装置の回路構成を示すブロック図である。
【図２】図１のＣＰＵの制御機能の要部を示す機能ブロック図である。
【図３】カフ脈波の振幅により構成される振幅列の一例を示す図である。
【図４】徐速降圧開始当初のカフ脈波の振幅Ａから得られる包絡線と、判断基準振幅ＴＨＡと、判断基準拍数ＴＨＮとの関係を模式的に示す図である。
【図５】図２の機能ブロック図に示したＣＰＵの制御作動の要部を示すフローチャートである。
【符号の説明】
【００３５】
１０：自動血圧測定装置
１２：カフ
５０：カフ圧制御手段（再昇圧制御手段）
５２：振幅決定手段
５４：血圧値決定手段
５６：昇圧不足判定手段
【図１】
2006247215.tif 000003
【図２】
2006247215.tif 000004
【図３】
2006247215.tif 000005
【図４】
2006247215.tif 000006
【図５】
2006247215.tif 000007